(57)【要約】【課題】  動画質を改善するための回路および方法を提供する。【解決手段】  本回路はフレームメモリ（６３８）と、２つのデュアルポートバッファ（６３２，６３４）とを有する。メモリ構造により前フレームのフレームデータをリードし、同時に現フレームデータを格納することができる。したがって、従来技術と比較してよりシンプルなアクセス制御とメモリ構造を達成することができる。本回路は非線形量子化法によりデータを圧縮し、それによりフレームメモリのサイズを小さくすることができる。回路は隣接する画素用いた交互リード／ライトおよび補間を用いてフレームメモリのサイズを小型にする。【選択図】      図６
2005099659.tif 000002
【特許請求の範囲】
【請求項１】
第一のフレームデータを受け、一時的に格納し、前記第一のフレームデータを先入れ先出しにより出力する第一のデュアルポートバッファと、
第二のフレームデータを受け、一時的に格納し、前記第二のフレームデータを先入れ先出しにより出力する第二のデュアルポートバッファと、
前記第二のフレームデータの後に動画像に示される前記第一のフレームデータと、
動画像データを格納するフレームメモリと、
前記第一のデュアルポートバッファと、前記第二のデュアルポートバッファと、前記フレームメモリとに結合され、選択により出力された前記第一のフレームデータを前記フレームメモリに送信し、出力された前記第二のフレームデータを前記第二のデュアルポートバッファに送信するマルチプレクサユニットと、
前記第一のフレームデータと前記第一のフレームデータに対応する前記第二のフレームデータに応じて補償データを得て第三のフレームデータを出力する信号変換器とを有することを特徴とする動画質改善用の回路。
【請求項２】
請求項１に記載の回路であって、さらに、
第四のフレームデータを受け、そのビット数が前記第四のフレームデータのビット数より大きい前記第一のフレームデータを出力する第一のデータラッチと、
第五のフレームデータを受け、そのビット数が前記第五のフレームデータのビット数より大きい前記第二のフレームデータを出力する第二のデータラッチとを有し、
前記信号変換器が、前記第四のフレームデータと前記第二のフレームデータに対応する前記第五のフレームデータとに応じて前記補償データを得て前記第三のフレームデータを出力するものであることを特徴とする回路。
【請求項３】
請求項２に記載の回路であって、さらに、
第六のフレームデータを受け、前記第六のフレームデータを非線形量子化法で量子化し、前記第四のフレームデータを出力する非線形量子化回路を有し、前記信号変換器が前記第六のフレームデータを受け、前記第六のフレームデータを前記補償データに基づき補償し、前記第三のフレームデータを得ることを特徴とする回路。
【請求項４】
請求項３に記載の回路であって、前記信号変換器は、
前記第四のフレームデータと前記第五のフレームデータとを同時に受け、前記第四のフレームデータと前記第五のフレームデータとを比較し、前記第四のフレームデータと前記第五のフレームデータとの差に基づき前記補償データを生成する動画改善ユニットと、
前記第六のフレームデータと前記第六のフレームデータに対応する前記補償データとを同時に受け、前記第六のフレームデータを前記補償データに基づき補償し、前記第三のフレームデータを得るデータ処理ユニットとを有することを特徴とする回路。
【請求項５】
請求項２に記載の回路であって、
前記第一のフレームデータのビット数が前記第四のフレームデータのビット数のインテグラルであり、前記第二のフレームデータのビット数が前記第五のフレームデータのビット数のインテグラルであることを特徴とする回路。
【請求項６】
請求項１に記載の回路であって、
液晶ディスプレイ装置に適用されることを特徴とする回路。
【請求項７】
第一のフレームデータを受け、前記第一のフレームデータを非線形量子化法で量子化し、第二のフレームデータを出力する非線形量子化回路と、
前記非線形量子化回路に結合され、前記第二のフレームデータを受け、前記第二のフレームデータに対応する第三のフレームデータを出力するフレームメモリモジュールと、
前記第三のフレームデータ後に動画像に示される前記第二のフレームデータと、
前記第二のフレームデータと前記第二のフレームデータに対応する前記第三のフレームデータとに応じて補償データを得て前記第一のフレームデータを補償し、第四のフレームデータを出力する信号変換器とを有することを特徴とする動画質改善用の回路。
【請求項８】
請求項７に記載の回路であって、前記フレームメモリモジュールが、
前記第二のフレームデータを受け、一時的に格納し、前記第二のフレームデータを先入れ先出しにより出力する第一のデュアルポートバッファと、
前記第三のフレームデータを受け、一時的に格納し、前記第三のフレームデータを先入れ先出しにより出力する第二のデュアルポートバッファと、
動画像データを格納するフレームメモリと、
前記第一のデュアルポートバッファと、前記第二のデュアルポートバッファと、前記フレームメモリとに結合され、選択により出力された前記第二のフレームデータを前記フレームメモリに送信し、前記フレームメモリに出力された前記第三のフレームデータを前記第二のデュアルポートバッファに送信するマルチプレクサユニットとを有することを特徴とする回路。
【請求項９】
請求項８に記載の回路であって、前記信号変換器が、
前記第二のフレームデータと前記第三のフレームデータとを同時に受け、前記第二のフレームデータと前記第三のフレームデータとを比較し、前記第二のフレームデータと前記第三のフレームデータとの差に基づき前記補償データを生成する動画改善ユニットと、
前記第一のフレームデータと前記第一のフレームデータに対応する前記補償データとを同時に受け、前記第一のフレームデータを前記補償データに基づき補償し、前記第四のフレームデータを得るデータ処理ユニットとを有することを特徴とする回路。
【請求項１０】
請求項８に記載の回路であって、
液晶ディスプレイ装置に適用されることを特徴とする回路。
【請求項１１】
第一のデュアルポートバッファと、第二のデュアルポートバッファと、フレームメモリとを用意し、
前記第一のデュアルポートバッファを用いて第一のフレームデータを受け、一時的に格納し、前記第一のフレームデータを先入れ先出しにより出力し、
前記第二のデュアルポートバッファを用いて第二のフレームデータを受け、一時的に格納し、前記第二のフレームデータを先入れ先出しにより出力し、前記第二のフレームデータ後に前記第一のフレームデータが動画像に示されるようにし、
前記フレームメモリを用いて動画像データを格納し、
前記フレームメモリ内の前記動画像データを多重送信し、それにより出力された前記第一のフレームデータを選択して前記フレームメモリに送信し、出力された前記第二のフレームデータを前記第二のデュアルポートバッファに送信し、
前記第一のフレームデータと前記第一のフレームデータに対応する前記第二のフレームデータとに応じて補償データを得て、第三のフレームデータを出力するステップを有することを特徴とする動画質を改善する方法。
【請求項１２】
請求項１１に記載の方法であって、さらに、
第四のフレームデータを受け、そのビット数が前記第四のフレームデータのビット数より大きい前記第一のフレームデータを出力し、
第五のフレームデータを受け、そのビット数が前記第五のフレームデータのビット数より大きい前記第二のフレームデータを出力し、
前記第三のフレームデータを出力する前記ステップが、前記第四のフレームデータと前記第二のフレームデータに対応する前記第五のフレームデータとに応答して前記補償データを得ることにより実行されることを特徴とする方法。
【請求項１３】
請求項１２に記載の方法であって、さらに、
第六のフレームデータを非線形量子化法で量子化して、前記第四のフレームデータを出力し、
前記第三のフレームデータを出力するステップが、さらに、
前記第四のフレームデータと前記第五のフレームデータとを同時に受け、前記第四のフレームデータと前記第五のフレームデータとを比較し、前記第四のフレームデータと前記第五のフレームデータとの差に基づき前記補償データを生成し、
前記第六のフレームデータと前記第六のフレームデータに対応する前記補償データとを同時に受け、前記第六のフレームデータを前記補償データに基づき補償し、前記第三のフレームデータを得ることを特徴とする方法。
【請求項１４】
請求項１１に記載の方法であって、さらに、
前記第四のフレームデータを非線形量子化法で量子化し、第一のフレームデータを出力し、前記第三のフレームデータを出力するステップが、さらに、
前記第一のフレームデータと前記第二のフレームデータとを同時に受け、前記第一のフレームデータと前記第二のフレームデータとを比較し、前記第一のフレームデータと前記第二のフレームデータとの差に基づき前記補償データを生成し、
前記第四のフレームデータと前記第四のフレームデータに対応する前記補償データとを同時に受け、前記第四のフレームデータを前記補償データに基づき補償し、前記第三のフレームデータを得ることを特徴とする方法。
【請求項１５】
第一のフレームデータを受け、一時的に格納し、そして前記第一のフレームデータを先入れ先出しにより出力する第一のデュアルポートバッファと、
第二のフレームデータを受け、一時的に格納し、そして前記第二のフレームデータを先入れ先出しにより出力する第二のデュアルポートバッファと、
前記第二のフレームデータ後に動画像に示される前記第一のフレームデータと、
動画像データを格納するフレームメモリと、
前記第一のデュアルポートバッファと、前記第二のデュアルポートバッファと、前記フレームメモリとに結合され、選択により出力された前記第一のフレームデータを前記フレームメモリに送信し、出力された前記第二のフレームデータを前記第二のデュアルポートバッファに送信するマルチプレクサユニットと、
前記第一のフレームデータと、第三のフレームデータと、前記第三のフレームデータに対応する前記第二のフレームデータとに応じて補償データを得て第四のフレームデータと第五のフレームデータとを出力する信号変換器と、
第六のフレームデータと第七のフレームデータとを受け、前記第六のフレームデータと前記第七のフレームデータとを前記第一のフレームデータと前記第三のフレームデータにそれぞれ変換または前記第三のフレームデータと前記第一のフレームデータにそれぞれ変換する第一のデータフロースイッチと、
第四のフレームデータと第五のフレームデータとを受け、前記第四のフレームデータと前記第五のフレームデータとを第八のフレームデータと第九のフレームデータにそれぞれ変換または前記第八のフレームデータと前記第九のフレームデータにそれぞれ変換する第二のデータフロースイッチとを有することを特徴とする動画質改善用の回路。
【請求項１６】
請求項１５に記載の回路であって、さらに、
前記第一のデータフロースイッチと前記第一のデュアルポートバッファ間でそれぞれに結合される第一のデータラッチであって、前記第一のデータフロースイッチが前記第六のフレームデータと前記第七のフレームデータとを受け、前記第六のフレームデータと前記第七のフレームデータとを第十のフレームデータと前記第三のフレームデータにそれぞれ変換または前記第三のフレームデータと前記第十のフレームデータにそれぞれ変換し、前記第一のデータラッチが前記第十のフレームデータを受け、そのビット数が前記第十のフレームデータのビット数より大きい前記第一のフレームデータを出力する第一のデータラッチと、
前記第一のデュアルポートバッファと前記信号変換器間でそれぞれに結合される第二のデータラッチであって、フレームデータのビット数が第十一のフレームデータのビット数より大きい前記第二のフレームデータを受け、前記第十一のフレームデータを出力する第二のデータラッチとを有し、
前記信号変換器が、前記第十のフレームデータと、前記第三のフレームデータと、前記第三のフレームデータに対応する前記第十一のフレームデータに応じて、前記補償データを得て、前記第四のフレームデータと前記第五のフレームデータとを出力することを特徴とする回路。
【請求項１７】
請求項１６に記載の回路であって、さらに、
前記第一のデータフロースイッチと前記第一のデータラッチ間でそれぞれに結合される第一の非線形量子化回路であって、前記第一のデータフロースイッチが前記第六のフレームデータと前記第七のフレームデータとを受け、前記第六のフレームデータと前記第七のフレームデータとを第十二のフレームデータと前記第三のフレームデータにそれぞれ変換または前記第三のフレームデータと前記第十二のフレームデータにそれぞれ変換し、前記第一の非線形量子化回路が前記第十二のフレームデータを受け、非線形量子化法にて前記第十二のフレームデータを量子化し、前記第十のフレームデータを出力する第一の非線形量子化回路と、
前記第一のデータフロースイッチと前記信号変換器間でそれぞれに結合される第二の非線形量子化回路であって、前記第三のフレームデータを受け、非線形量子化法にて前記第三のフレームデータを量子化し、第十三のフレームデータを出力する第二の非線形量子化回路とを有し、
前記信号変換器が、前記第十二のフレームデータと、前記第三のフレームデータと、前記第十一のフレームデータに対応する前記第十三のフレームデータに応じて、前記補償データを得て、前記第四のフレームデータと前記第五のフレームデータとを出力することを特徴とする回路。
【請求項１８】
請求項１７に記載の回路であって、前記信号変換器が、
前記第十三のフレームデータと前記第十一のフレームデータとを同時に受け、前記第十三のフレームデータと前記第十一のフレームデータとを比較し、前記第十三のフレームデータと前記第十一のフレームデータとの差に基づき前記補償データを生成する動画改善ユニットと、
前記第十二のフレームデータと前記第十二のフレームデータに対応する前記補償データとを同時に受け、前記第十二のフレームデータを前記補償データに基づき補償し、前記第四のフレームデータを得る第一のデータ処理ユニットと
前記第三のフレームデータと前記第三のフレームデータに対応する前記補償データとを同時に受け、前記第三のフレームデータを前記補償データに基づき補償し、前記第五のフレームデータを得る第二のデータ処理ユニットとを有することを特徴とする回路。
【請求項１９】
請求項１６に記載の回路であって、
前記第一のフレームデータのビット数が前記第十のフレームデータのビット数のインテグラルであり、前記第二のフレームデータのビット数が前記第十一のフレームデータのビット数のインテグラルであることを特徴とする回路。
【請求項２０】
請求項１５に記載の回路であって、
液晶ディスプレイ装置に適用されることを特徴とする回路。
【請求項２１】
第一のフレームデータを受け、非線形量子化法を用いて前記第一のフレームデータを量子化し、そして第二のフレームデータを出力する第一の非線形量子化回路と、
第三のフレームデータを受け、非線形量子化法を用いて前記第三のフレームデータを量子化し、そして第四のフレームデータを出力する第二の非線形量子化回路と、
前記第一の非線形量子化回路に結合され、前記第二のフレームデータを受け、前記第二のフレームデータに対応する第五のフレームデータを出力するフレームメモリモジュールと、
前記第五のフレームデータ後に動画像に示される前記第二のフレームデータと、
前記第一のフレームデータと、第三のフレームデータと、前記第四のフレームデータと、前記第四のフレームデータに対応する前記第五のフレームデータとに応じて補償データを得て、第六のフレームデータと第七のフレームデータとを出力する信号変換器と、
第八のフレームデータと第九のフレームデータとを受け、前記第八のフレームデータと前記第九のフレームデータとを前記第一のフレームデータと前記第三のフレームデータにそれぞれ変換または前記第三のフレームデータと前記第一のフレームデータにそれぞれ変換する第一のデータフロースイッチと、
第六のフレームデータと第七のフレームデータとを受け、前記第六のフレームデータと前記第七のフレームデータとを第十のフレームデータと第十一のフレームデータにそれぞれ変換または前記第十のフレームデータと前記第十一のフレームデータにそれぞれ変換する第二のデータフロースイッチとを有することを特徴とする動画質改善用の回路。
【請求項２２】
請求項２１に記載の回路であって、前記フレームメモリモジュールが、
第二のフレームデータを受け、一時的に格納し、そして前記第二のフレームデータを先入れ先出しにより出力する第一のデュアルポートバッファと、
第五のフレームデータを受け、一時的に格納し、そして前記第五のフレームデータを先入れ先出しにより出力する第二のデュアルポートバッファと、
動画像データを格納するフレームメモリと、
前記第一のデュアルポートバッファと、前記第二のデュアルポートバッファと、前記フレームメモリとに結合され、出力された前記第二のフレームデータの選択して前記フレームメモリに送信し、出力された前記第五のフレームデータを前記第二のデュアルポートバッファに送信するマルチプレクサユニットとを有することを特徴とする回路。
【請求項２３】
請求項２２に記載の回路であって、前記信号変換器が、
前記第四のフレームデータと前記第五のフレームデータとを同時に受け、前記第四のフレームデータと前記第五のフレームデータとを比較し、前記第四のフレームデータと前記第五のフレームデータとの差に基づき前記補償データを生成する動画改善ユニットと、
前記第一のフレームデータと前記第一のフレームデータに対応する前記補償データとを同時に受け、前記第一のフレームデータを前記補償データに基づき補償し、前記第六のフレームデータを得る第一のデータ処理ユニットと
前記第三のフレームデータと前記第三のフレームデータに対応する前記補償データとを同時に受け、前記第三のフレームデータを前記補償データに基づき補償し、前記第七のフレームデータを得る第二のデータ処理ユニットとを有することを特徴とする回路。
【請求項２４】
請求項２１に記載の回路であって、
液晶ディスプレイ装置に適用されることを特徴とする回路。
【請求項２５】
第一のデュアルポートバッファと、第二のデュアルポートバッファと、フレームメモリとを用意し、
前記第一のデュアルポートバッファを用いて第一のフレームデータを受け、一時的に格納し、そして前記第一のフレームデータを先入れ先出しにより出力し、
前記第二のデュアルポートバッファを用いて第二のフレームデータを受け、一時的に格納し、前記第二のフレームデータを先入れ先出しにより出力し、そして前記第二のフレームデータ後に前記第一のフレームデータが動画像に示されるようにし、
前記フレームメモリを用いて動画像データを格納し、
前記フレームメモリ内の前記動画像データを多重送信し、それにより選択にて出力された前記第一のフレームデータを前記フレームメモリに送信し、出力された前記第二のフレームデータを前記第二のデュアルポートバッファに送信し、
前記第一のフレームデータと、第三のフレームデータと、前記第三のフレームデータに対応する前記第二のフレームデータとに応じて補償データを得て、第四のフレームデータと第五のフレームデータとを出力し、
第六のフレームデータと第七のフレームデータとを、タイムシーケンスに応じて前記第一のフレームデータと前記第三のフレームデータにそれぞれ変換または前記第三のフレームデータと前記第一のフレームデータにそれぞれ変換し、
前記第四のフレームデータと第五のフレームデータとを、タイムシーケンスに応じて第八のフレームデータと第九のフレームデータにそれぞれ変換または前記第九のフレームデータと前記第八のフレームデータにそれぞれ変換するステップを有することを特徴とする動画質を改善する方法。
【請求項２６】
請求項２５に記載の方法であって、
前記第一のフレームデータのビット数より大きいビット数の第十のフレームデータを受け、前記第一のフレームデータを出力し、
前記第十一のフレームデータのビット数より大きい第二のフレームデータを受け、前記第十一のフレームデータを出力し、
前記第四のフレームデータと前記第五のフレームデータとを出力する前記ステップが、前記第三のフレームデータと、前記第十のフレームデータと、前記第十のフレームデータに対応する前記第十一のフレームデータとに応じて前記補償データを得ることにより実行され、
前記第六のフレームデータと前記第七のフレームデータとを、前記第一のフレームデータと前記第三のフレームデータにそれぞれ変換または前記第三のフレームデータと前記第一のフレームデータにそれぞれ変換する前記ステップが、前記第六のフレームデータと前記第七のフレームデータとを、前記第十のフレームデータと前記第三のフレームデータにそれぞれ変換または前記第三のフレームデータと前記第十のフレームデータにそれぞれ変換するステップに変更されることを特徴とする方法。
【請求項２７】
請求項２６に記載の方法であって、さらに、
第十二のフレームデータと前記第三のフレームデータとを非線形量子化法にて量子化し、前記第十のフレームデータと第十三のフレームデータとを出力し、
前記第四のフレームデータと前記五のフレームデータとを出力するステップが、前記第十二のフレームデータと、前記第三のフレームデータと、前記第十一のフレームデータに対応する前記第十三のフレームデータとに応じて前記補償データを得ることにより実行され、前記第六のフレームデータと前記第七のフレームデータとを、前記第十のフレームデータと前記第三のフレームデータにそれぞれ変換または前記第三のフレームデータと前記第十のフレームデータにそれぞれ変換する前記ステップが、前記第六のフレームデータと前記第七のフレームデータとを、前記第十二のフレームデータと前記第三のフレームデータにそれぞれ変換または前記第三のフレームデータと前記第十二のフレームデータにそれぞれ変換するステップに変更されることを特徴とする方法。
【請求項２８】
請求項２７に記載の方法であって、前記第四のフレームデータと前記五のフレームデータとを出力する前記ステップがさらに、
前記第十三のフレームデータと前記第十三のフレームデータに対応する前記十一のフレームデータとを同時に受け、前記第十三のフレームデータと前記第十一のフレームデータとを比較し、前記第十三のフレームデータと前記第十一のフレームデータとの差に基づき前記補償データを生成し、
前記第十二のフレームデータと前記第十二のフレームデータに対応する前記補償データとを同時に受け、前記第十二のフレームデータを前記補償データに基づき補償し、前記第四のフレームデータを得て、
前記第三のフレームデータと前記第三のフレームデータに対応する前記補償データとを同時に受け、前記第三のフレームデータを前記補償データに基づき補償し、前記第五のフレームデータを得ることを特徴とする方法。
【請求項２９】
請求項２５に記載の方法であって、さらに、
第十のフレームデータと前記第三のフレームデータとを非線形量子化法にて量子化し、前記第一のフレームデータと第十一のフレームデータとをそれぞれ出力し、
前記第四のフレームデータと前記五のフレームデータとを出力するステップが、前記第十のフレームデータと、前記第三のフレームデータと、前記第十一と、前記第十一のフレームデータに対応する前記第二のフレームデータとに応答して前記補償データを得ることにより実行され、
前記第六のフレームデータと前記第七のフレームデータとを、前記第一のフレームデータと前記第三のフレームデータにそれぞれ変換または前記第三のフレームデータと前記第一のフレームデータにそれぞれ変換する前記ステップが、前記第六のフレームデータと前記第七のフレームデータとを、前記第十のフレームデータと前記第三のフレームデータにそれぞれ変換または前記第三のフレームデータと前記第十のフレームデータにそれぞれ変換するステップに変更されることを特徴とする方法。
【請求項３０】
請求項２９に記載の方法であって、前記第四のフレームデータと前記五のフレームデータとを出力する前記ステップがさらに、
前記第十一のフレームデータと前記第十一のフレームデータに対応する前記二のフレームデータとを同時に受け、前記第十一のフレームデータと前記第二のフレームデータとを比較し、前記第十一のフレームデータと前記第二のフレームデータとの差に基づき前記補償データを生成し、
前記第十のフレームデータと前記第十のフレームデータに対応する前記補償データとを同時に受け、前記第十のフレームデータを前記補償データに基づき補償し、前記第四のフレームデータを得て、
前記第三のフレームデータと前記第三のフレームデータに対応する前記補償データとを同時に受け、前記第三のフレームデータを前記補償データに基づき補償し、前記第五のフレームデータを得ることを特徴とする方法。
【発明の詳細な説明】
【技術分野】
【０００１】
本発明は、概してディスプレイ用の駆動回路および方法に関し、特に動画質を改善するための回路および方法に関するものである。
【背景技術】
【０００２】
液晶はその発見以来、ディスプレイ装置およびその他の応用に適用されてきた。動画像表示の適用として、液晶ディスプレイ装置（ＬＣＤ）は従来のＣＲＴディスプレイ装置と比べ軽くコンパクトでエネルギー消費が少なく、従来のＣＲＴディスプレイ装置に代わるより良い選択であるとして優位性である。ＬＣＤは複数の画素を含む。液晶は２枚の基板の間に満たされる。よって液晶の送信率は基板上の電極に電圧を印可することで変化する。液晶は２つの電極間に満たされるため、いわゆる液晶キャパシタとすることができる。図１は従来のＬＣＤの画素１００である。薄膜トランジスタ（ＴＦＴ）１３０はスキャン信号１０４により制御し、イメージ信号１０２を導入するか否かが決定される。ストレージキャパシタ１２０はイメージ信号１０２を格納し、それによりＴＦＴ１３０がオフであっても駆動電圧を液晶キャパシタ１１０に供給することができる。液晶キャパシタ１１０のキャパシタンスは液晶の向きによるため、電圧が印可され液晶の方向が変わると液晶キャパシタ１１０のキャパシタンスも変化する。
【０００３】
図２は、１画素の液晶キャパシタにかけられた電圧│Ｖ│とフレーム時間との関係を示す図である。電圧はｎ番のフレーム後に変化し、目標の電圧に到達するのに数フレームを必要とする。液晶キャパシタの電圧２２０が目標電圧２１０に達する前に、この画素はしばらくの間、予期しないグレーレベルを示すことになる。図３はグレーレベルと１画素へのフレーム時間との関係を示す図である。図３に示すように、画素はｎ番目のフレームにて「黒」から目標のグレーレベル３１０に変化しようとしている。液晶の性質上、目標のグレーレベル３１０に達するには数フレームを必要とする。
【０００４】
上記の応答遅延は静止画像への適用に関していえば深刻な問題にはならないかもしれない。しかし動画像に関しては、かかる遅延は画像の品質の低下を招くことになる。従来の方法によれば、電極への圧力を変化させる際に補償電圧を用いて遅延を改善することができるが、液晶キャパシタ上の電圧│Ｖ│は目標電圧よりも高くなる。そして液晶キャパシタ上で印可された電圧は次のフレームで定位になる。図４はＬＣＤ上の応答遅延を改善するための従来方法を示す図である。電圧│Ｖ│はｎ番目のフレームで変化し、補償電圧４３０も印可され、液晶キャパシタの電圧４２０がｎ番目のフレーム内で目標電圧４１０に到達することができる。図５は従来方法を適用した後のグレーレベルと１画素に対するフレーム時間とを示す図である。図３に示すように、画素はｎ番目のフレーム内で「黒」から目標のグレーレベル５１０に変化する。液晶キャパシタの電圧４２０はｎ番目のフレーム内で数フレームを要することなく目標電圧４１０に到達することができる。
【０００５】
動画質を改善するための従来の方法では、前フレームのフレームデータと現フレームのフレームデータとを比較する必要がある。前フレームにおけるフレームデータが現フレームのフレームデータと異なる場合には補償電圧が印可され、そうでなければ補償電圧は印可されない。この従来方法では前フレームのフレームデータを格納するのにフレームメモリを必要とする。また前フレームのフレームデータと現フレームのフレームデータとを格納するのに、２つのフレームメモリ装置を用いるものもある。コストを削減するために、以下のような従来技術が提案され、動画質の改善が図られている（例えば、特許文献１および２）。
【特許文献１】台湾特許第５１３６８５号公報
【特許文献２】米国特許出願公開第２００２／０１８０６７６号公報
【発明の開示】
【発明が解決しようとする課題】
【０００６】
上記の従来技術では、複雑で精密なタイミングコントロールを必要とし、４つのシングルポートバッファを用いて前フレームと現フレームのフレームデータを同時に格納する。この先行技術においてはリード・ライトの衝突を避けるためにより大きなメモリ装置を必要とする。さらに、上記の従来技術ではひとつのメモリ装置を用いて前フレームのフレームデータを格納するが、実際フレームメモリは依然として極めて高価なものである。したがって、いかにフレームメモリのサイズを小さくし得るかが関連すべき重要な問題となる。
【０００７】
本発明の目的は、動画質を改善してフレームのデータを少なくし、それによりフレームメモリのサイズを減じるための回路および方法を提供することにある。
【０００８】
本発明の他の目的は、動画質を改善してフレームデータを部分的および交互にセーブし、それによりフレームメモリのサイズを小さくするための回路および方法を提供することにある。
【０００９】
本発明のさらに他の目的は、２つのデュアルポートバッファを用いてフレームメモリのタイミング制御を簡素化することにより動画質を改善するための回路および方法を提供することにある。
【課題を解決するための手段】
【００１０】
本発明が提供する動画質改善用の回路は、第一のフレームデータを受け、一時的に格納し、第一のフレームデータを先入れ先出しにより出力する第一のデュアルポートバッファと、第二のフレームデータを受け、一時的に格納し、第二のフレームデータを先入れ先出しにより出力する第二のデュアルポートバッファと、第二のフレームデータの後に動画像に示される第一のフレームデータと、動画像データを格納するフレームメモリと、第一のデュアルポートバッファと、第二のデュアルポートバッファと、フレームメモリとに結合され、選択により出力された第一のフレームデータをフレームメモリに送信し、出力された第二のフレームデータを第二のデュアルポートバッファに送信するマルチプレクサユニットと、第一のフレームデータと第一のフレームデータに対応する第二のフレームデータに応じて補償データを得て第三のフレームデータを出力する信号変換器とを有する。
【００１１】
本発明の好ましい実施の形態において、回路はさらに、第四のフレームデータを受け、そのビット数が第四のフレームデータのビット数より大きい第一のフレームデータを出力する第一のデータラッチと、第五のフレームデータを受け、そのビット数が第五のフレームデータのビット数より大きい第二のフレームデータを出力する第二のデータラッチとを有し、信号変換器が、第四のフレームデータと第二のフレームデータに対応する第五のフレームデータとに応じて補償データを得て第三のフレームデータを出力する。
本発明の好ましい実施の形態において、回路はさらに、第六のフレームデータを受け、第六のフレームデータを非線形量子化法で量子化し、第四のフレームデータを出力する非線形量子化回路を有し、信号変換器が第六のフレームデータを受け、第六のフレームデータを補償データに基づき補償し、第三のフレームデータを得る。
本発明が提供する動画像改善用の回路は、第一のフレームデータを受け、第一のフレームデータを非線形量子化法で量子化し、第二のフレームデータを出力する非線形量子化回路と、非線形量子化回路に結合され、第二のフレームデータを受け、第二のフレームデータに対応する第三のフレームデータを出力するフレームメモリモジュールと、第三のフレームデータ後に動画像に示される第二のフレームデータと、第二のフレームデータと第二のフレームデータに対応する第三のフレームデータとに応じて補償データを得て第一のフレームデータを補償し、第四のフレームデータを出力する信号変換器とを有する。
【００１２】
本発明の好ましい実施の形態において、フレームメモリモジュールは、第二のフレームデータを受け、一時的に格納し、第二のフレームデータを先入れ先出しにより出力する第一のデュアルポートバッファと、第三のフレームデータを受け、一時的に格納し、第三のフレームデータを先入れ先出しにより出力する第二のデュアルポートバッファと、動画像データを格納するフレームメモリと、第一のデュアルポートバッファと、第二のデュアルポートバッファと、フレームメモリとに結合され、選択により出力された第二のフレームデータをフレームメモリに送信し、フレームメモリに出力された第三のフレームデータを第二のデュアルポートバッファに送信するマルチプレクサユニットとを有する。
本発明の好ましい実施の形態において、信号変換器は、第二のフレームデータと第三のフレームデータとを同時に受け、第二のフレームデータと第三のフレームデータとを比較し、第二のフレームデータと第三のフレームデータとの差に基づき補償データを生成する動画改善ユニットと、第一のフレームデータと第一のフレームデータに対応する補償データとを同時に受け、第一のフレームデータを補償データに基づき補償し、第四のフレームデータを得るデータ処理ユニットとを有する。
【００１３】
本発明が提供する動画質を改善する方法は、第一のデュアルポートバッファと、第二のデュアルポートバッファと、フレームメモリとを用意し、第一のデュアルポートバッファを用いて第一のフレームデータを受け、一時的に格納し、第一のフレームデータを先入れ先出しにより出力し、第二のデュアルポートバッファを用いて第二のフレームデータを受け、一時的に格納し、第二のフレームデータを先入れ先出しにより出力し、第二のフレームデータ後に第一のフレームデータが動画像に示されるようにし、フレームメモリを用いて動画像データを格納し、フレームメモリ内の動画像データを多重送信し、それにより出力された第一のフレームデータを選択してフレームメモリに送信し、出力された第二のフレームデータを第二のデュアルポートバッファに送信し、第一のフレームデータと第一のフレームデータに対応する第二のフレームデータとに応じて補償データを得て、第三のフレームデータを出力するステップを有する。
【００１４】
本発明が提供する動画質改善用の回路は、第一のフレームデータを受け、一時的に格納し、そして第一のフレームデータを先入れ先出しにより出力する第一のデュアルポートバッファと、第二のフレームデータを受け、一時的に格納し、そして第二のフレームデータを先入れ先出しにより出力する第二のデュアルポートバッファと、第二のフレームデータ後に動画像に示される第一のフレームデータと、動画像データを格納するフレームメモリと、第一のデュアルポートバッファと、第二のデュアルポートバッファと、フレームメモリとに結合され、選択により出力された第一のフレームデータをフレームメモリに送信し、出力された第二のフレームデータを第二のデュアルポートバッファに送信するマルチプレクサユニットと、第一のフレームデータと、第三のフレームデータと、第三のフレームデータに対応する第二のフレームデータとに応じて補償データを得て第四のフレームデータと第五のフレームデータとを出力する信号変換器と、第六のフレームデータと第七のフレームデータとを受け、第六のフレームデータと第七のフレームデータとを第一のフレームデータと第三のフレームデータにそれぞれ変換または第三のフレームデータと第一のフレームデータにそれぞれ変換する第一のデータフロースイッチと、第四のフレームデータと第五のフレームデータとを受け、第四のフレームデータと第五のフレームデータとを第八のフレームデータと第九のフレームデータにそれぞれ変換または第八のフレームデータと第九のフレームデータにそれぞれ変換する第二のデータフロースイッチとを有する。
【００１５】
本発明の好ましい実施の形態において、回路はさらに、第一のデータフロースイッチと第一のデュアルポートバッファ間でそれぞれに結合される第一のデータラッチであって、第一のデータフロースイッチが第六のフレームデータと第七のフレームデータとを受け、第六のフレームデータと第七のフレームデータとを第十のフレームデータと第三のフレームデータにそれぞれ変換または第三のフレームデータと第十のフレームデータにそれぞれ変換し、第一のデータラッチが第十のフレームデータを受け、そのビット数が第十のフレームデータのビット数より大きい第一のフレームデータを出力する第一のデータラッチと、第一のデュアルポートバッファと信号変換器間でそれぞれに結合される第二のデータラッチであって、フレームデータのビット数が第十一のフレームデータのビット数より大きい第二のフレームデータを受け、第十一のフレームデータを出力する第二のデータラッチとを有し、信号変換器が、第十のフレームデータと、第三のフレームデータと、第三のフレームデータに対応する第十一のフレームデータに応じて、補償データを得て、第四のフレームデータと第五のフレームデータとを出力する。
【００１６】
本発明の好ましい実施の形態において、回路はさらに、第一のデータフロースイッチと第一のデータラッチ間でそれぞれに結合される第一の非線形量子化回路であって、第一のデータフロースイッチが第六のフレームデータと第七のフレームデータとを受け、第六のフレームデータと第七のフレームデータとを第十二のフレームデータと第三のフレームデータにそれぞれ変換または第三のフレームデータと第十二のフレームデータにそれぞれ変換し、第一の非線形量子化回路が第十二のフレームデータを受け、非線形量子化法にて第十二のフレームデータを量子化し、第十のフレームデータを出力する第一の非線形量子化回路と、第一のデータフロースイッチと信号変換器間でそれぞれに結合される第二の非線形量子化回路であって、第三のフレームデータを受け、非線形量子化法にて第三のフレームデータを量子化し、第十三のフレームデータを出力する第二の非線形量子化回路とを有し、信号変換器が、第十二のフレームデータと、第三のフレームデータと、第十一のフレームデータに対応する第十三のフレームデータに応じて、補償データを得て、第四のフレームデータと第五のフレームデータとを出力する。
【００１７】
本発明が提供する動画質改善用の回路は、第一のフレームデータを受け、非線形量子化法を用いて第一のフレームデータを量子化し、そして第二のフレームデータを出力する第一の非線形量子化回路と、第三のフレームデータを受け、非線形量子化法を用いて第三のフレームデータを量子化し、そして第四のフレームデータを出力する第二の非線形量子化回路と、第一の非線形量子化回路に結合され、第二のフレームデータを受け、第二のフレームデータに対応する第五のフレームデータを出力するフレームメモリモジュールと、第五のフレームデータ後に動画像に示される第二のフレームデータと、第一のフレームデータと、第三のフレームデータと、第四のフレームデータと、第四のフレームデータに対応する第五のフレームデータとに応じて補償データを得て、第六のフレームデータと第七のフレームデータとを出力する信号変換器と、第八のフレームデータと第九のフレームデータとを受け、第八のフレームデータと第九のフレームデータとを第一のフレームデータと第三のフレームデータにそれぞれ変換または第三のフレームデータと第一のフレームデータにそれぞれ変換する第一のデータフロースイッチと、第六のフレームデータと第七のフレームデータとを受け、第六のフレームデータと第七のフレームデータとを第十のフレームデータと第十一のフレームデータにそれぞれ変換または第十のフレームデータと第十一のフレームデータにそれぞれ変換する第二のデータフロースイッチとを有する。
【００１８】
本発明の好ましい実施の形態において、フレームメモリモジュールが、第二のフレームデータを受け、一時的に格納し、そして第二のフレームデータを先入れ先出しにより出力する第一のデュアルポートバッファと、第五のフレームデータを受け、一時的に格納し、そして第五のフレームデータを先入れ先出しにより出力する第二のデュアルポートバッファと、動画像データを格納するフレームメモリと、第一のデュアルポートバッファと、第二のデュアルポートバッファと、フレームメモリとに結合され、出力された第二のフレームデータの選択してフレームメモリに送信し、出力された第五のフレームデータを第二のデュアルポートバッファに送信するマルチプレクサユニットとを有する。
本発明が提供する動画質を改善する方法は、第一のデュアルポートバッファと、第二のデュアルポートバッファと、フレームメモリとを用意し、第一のデュアルポートバッファを用いて第一のフレームデータを受け、一時的に格納し、そして第一のフレームデータを先入れ先出しにより出力し、第二のデュアルポートバッファを用いて第二のフレームデータを受け、一時的に格納し、第二のフレームデータを先入れ先出しにより出力し、そして第二のフレームデータ後に第一のフレームデータが動画像に示されるようにし、フレームメモリを用いて動画像データを格納し、フレームメモリ内の動画像データを多重送信し、それにより選択にて出力された第一のフレームデータをフレームメモリに送信し、出力された第二のフレームデータを第二のデュアルポートバッファに送信し、第一のフレームデータと、第三のフレームデータと、第三のフレームデータに対応する第二のフレームデータとに応じて補償データを得て、第四のフレームデータと第五のフレームデータとを出力し、第六のフレームデータと第七のフレームデータとを、タイムシーケンスに応じて第一のフレームデータと第三のフレームデータにそれぞれ変換または第三のフレームデータと第一のフレームデータにそれぞれ変換し、第四のフレームデータと第五のフレームデータとを、タイムシーケンスに応じて第八のフレームデータと第九のフレームデータにそれぞれ変換または第九のフレームデータと第八のフレームデータにそれぞれ変換するステップを有する。
【発明の効果】
【００１９】
本発明は、フレームメモリと２つのデュアルポートバッファを含むメモリ構造を用いる。メモリ構造により前フレームのフレームデータをリードし、同時に現フレームデータを格納することができる。したがって、本発明のメモリ構造は、従来技術と比較して相当にシンプルな構造とすることができる。本発明によれば、また効果的にデータを圧縮し、それによりフレームメモリのサイズを小さくすることができる。本発明はまた回路は隣接画素を用いた交互リード／ライトおよび補間を用いてフレームメモリのサイズを小さくすることができる（従来のフレームメモリの半分以下）。
【００２０】
上記では従来技術におけるいくつかの欠点と本発明の効果を簡単に説明したにすぎない。本発明のその他の特徴、効果、実施の形態に関しては、当業者には以下の詳細な説明並びに添付図面および特許請求の範囲の記載より明らかになるであろう。
【発明を実施するための最良の形態】
【００２１】
図６は、本発明の好ましい実施の形態による動画質を改善するための回路を示すブロック図である。この回路は、非線形量子化回路６１０と、データラッチ６２０、６４０と、デュアルポートバッファ６３２、６３４と、マルチプレクサユニット６３６と、動画改善ユニット６５２と、データ処理ユニット６５４とを含む。この回路はＬＣＤに適用可能である。
【００２２】
モーションビデオを再生する際、非線形量子化回路６１０は、イメージデコーダ等の前レベルの回路からのフレームデータ６０２を受ける。フレームデータ６０２は、例えば、ＲＧＢカラーを有する１０８ＭＨｚのストリームデータであり、各色は８ビットを用いてデータを表す。フレームデータ６０２は、非線形量子化法にてフレームデータ６１１に変換される。フレームデータ６１１は、例えば、ＲＧＢカラーを有する１０８ＭＨｚのストリームデータであり、各色は５ビットを用いてデータを表す。非線形量子化回路６１０は、読出し専用メモリ（ＲＯＭ）により実行される。フレームデータ６０２は、アドレス信号としてＲＯＭに入力され、ＲＯＭに格納された量子化値をリードする。この量子化値がフレームデータ６１１である。
【００２３】
データラッチ６２０は、非線形量子化回路６１０からのフレームデータ６１１を受け、フレームデータ６２１を出力する。フレームデータ６２１は、例えば、ＲＧＢカラーを有する５４Ｍｂｐｓのストリームデータであり、各色は１０ビットを用いてデータを表す。この実施形態において、フレームデータ６２１のビット数は１０であり、フレームデータ６１１のビット数は５である。すなわち、フレームデータ６２１のビット数はフレームデータ６１１のビット数のインテグラルである。
【００２４】
デュアルポートバッファ６３２は、フレームデータ６２１を受け、一時的に格納し、先入れ先出し法則に基づきフレームデータ６３１を出力する。フレームデータ６３１は、例えば、ＲＧＢカラーを有する１０８Ｍｂｐｓのストリームデータであり、各色は１０ビットを用いてデータを表す。デュアルポートバッファ６３４は、フレームデータ６３５を受け、一時的に格納し、先入れ先出し法則に基づきフレームデータ６３７を出力する。フレームデータ６３５は、例えば、ＲＧＢカラーを有する１０８Ｍｂｐｓのストリームデータであり、各色は１０ビットを用いてデータを表す。フレームデータ６３７は、例えば、ＲＧＢカラーを有する５４Ｍｂｐｓのストリームデータであり、各色は１０ビットを用いてデータを表す。フレームデータ６３１はフレームデータ６３５の後に動画像に示される。フレームメモリ６３８は、動画像データを格納する。マルチプレクサユニット６３６は、デュアルポートバッファ６３２、６３４と、フレームメモリ６３８とに結合されている。マルチプレクサユニット６３６は、リード／ライトタイムシーケンスに基づき、選択にてデュアルポートバッファ６３２から出力されたフレームデータ６３１をフレームメモリ６３８に送信し、またはフレームメモリ６３８から出力されたフレームデータ６３５をデュアルポートバッファ６３４に送信する。
【００２５】
本実施の形態においては、さらにデータパスコントローラ（図示しない）が含まれ、フレームデータ６３５およびデュアルポートバッファ６３２、６３４のリード／ライトタイムシーケンスを制御し、それによりマルチプレクサユニット６３６をメモリのタイムシーケンスにしたがいスイッチさせる。入力／出力データに対するクロック信号およびフレームデータ６３５を制御するためのデータパスコントローラの制御信号は、フレームデータ６０２の制御用のものと同じ、例えば１０８Ｍｂｐｓとしてもよい。データパスコントローラのタイムシーケンスをリード／ライトに合わせるために、デュアルポートバッファ６３２、６３４のサイズを以下の式により決定してもよい。すなわち、
バッファサイズ＜２×リード／ライトスイッチの遅延×スイッチの数×データ帯域幅。
【００２６】
データラッチ６４０はデュアルポートバッファ６３２からのフレームデータ６３７を受け、フレームデータ６４１を出力する。フレームデータ６４１は、例えば、ＲＧＢカラーを有する１０８Ｍｂｐｓのストリームデータであり、各色は５ビットを用いてデータを表す。この実施形態において、フレームデータ６３７のビット数は１０であり、フレームデータ６４１のビット数は５である。すなわち、フレームデータ６３７のビット数はフレームデータ６４１のビット数のインテグラルである。
【００２７】
動画改善ユニット６５２は同時にフレームデータ６１１、６４１を受け、補償データ６５１をフレームデータ６１１と６４１との差に応じて発生する。この動画改善ユニット６５２は、ルックアップテーブルにより実行される。データ処理ユニット６５４は、対応するフレームデータ６０２を補償データ６５１に応じて補償し、フレームデータ６０４を得る。そしてフレームデータ６０４は次のレベルの回路に送信される。
【００２８】
本発明の第２の実施形態においては、図６における非線形量子化回路６１０と動画改善ユニット６５２を用いず、フレームデータ６０２、６１１は同じ信号であり、フレームデータ６４１、６５１が同じ信号である場合でも、やはりこの回路は本発明の範囲に属するものである。本発明の第３の実施形態として、回路は第２の実施形態におけるデータラッチ６２０、６４０を省略するが、やはりこの回路は本発明の範囲に属するものである。さらに、信号変換器６５０を上記実施形態における他のユニットに置き換えてもよい。
【００２９】
図６を参照すれば、本発明の第４の実施形態は以下のように例示される。すなわち、この回路は、フレームメモリモジュール６３０のメモリ構造が他の構造に置き換わる点を除き、第１の実施形態に記載の回路と同様である。本発明の第４の実施形態においては、フレームメモリモジュール６３０は、現フレームデータを格納し、同時に前フレームデータを出力し得る構造とすることができる。本発明の第５の実施形態においては、第４の実施形態におけるデータラッチ６２０、６４０を省略することができる。
【００３０】
本発明はまた、隣接する画素を用いた交互リード／ライトおよび補間を採用し、フレームメモリのサイズをさらに小さくするものである。図７は本発明の第６の実施形態による動画質を改善するための回路を示すブロック図である。この回路はデータフロースイッチ７１０、７８０と、非線形量子化回路７２０、７３０と、データラッチ７４０、７６０と、デュアルポートバッファ７５２、７５４と、マルチプレクサユニット７５６と、フレームメモリ７５８と、動画改善ユニット７７２と、データ処理ユニット７７４、７７６とを含む。この回路はＬＣＤに適用可能である。
【００３１】
本実施の形態にてモーションビデオを再生する場合、データフロースイッチ７１０はイメージデコーダ等の前レベル回路からのフレームデータを受け、データフロースイッチ７１０においてフレームデータがストリーム順に奇数データ７０１と偶数データ７０２とに分けられる。フレームデータ７０１、７０２は、例えば、ＲＧＢカラーを有する５４ＭＨｚのストリームデータであり、各色は８ビットを用いてデータを表す。データフロースイッチ７１０はフレームデータ７０１、７０２を受け、それらは一のフレームデータ７１３、７１１としてそれぞれ導入される。
【００３２】
非線形量子化回路７２０はフレームデータ７１３を受け、非線形量子化法によりフレームデータ７２１に変換する。フレームデータ７２１は、例えば、ＲＧＢカラーを有する５４ＭＨｚのストリームデータであり、各色は５ビットを用いてデータを表す。非線形量子化回路７２０、７３０は、読出し専用メモリにより実行される。フレームデータ７１３、７１１は、アドレス信号としてＲＯＭに入力され、ＲＯＭに格納された量子化値をリードする。この量子化値がフレームデータ７２１、７３１である。
【００３３】
データラッチ７４０は、フレームデータ７２１を受け、フレームデータ７４１を出力する。フレームデータ７４１は、例えば、ＲＧＢカラーを有する２７ＭＨｚのストリームデータであり、各色は１０ビットを用いてデータを表す。すなわち、フレームデータ７４１のビット数はフレームデータ７２１のビット数のインテグラルである。
【００３４】
デュアルポートバッファ７５２は、フレームデータ７４１を受け、一時的に格納し、先入れ先出し法則に基づきフレームデータ７５１を出力する。フレームデータ７５１は、例えば、ＲＧＢカラーを有する５４ＭＨｚのストリームデータであり、各色は１０ビットを用いてデータを表す。デュアルポートバッファ７５４は、フレームデータ７５５を受け、一時的に格納し、先入れ先出し法則に基づきフレームデータ７５７を出力する。フレームデータ７５７は、例えば、ＲＧＢカラーを有する２７Ｍｂｐｓのストリームデータであり、各色は１０ビットを用いてデータを表す。フレームデータ７５５は、例えば、ＲＧＢカラーを有する５４ＭＨｚのストリームデータであり、各色は１０ビットを用いてデータを表す。フレームデータ７５１はフレームデータ７５７の後に動画像に示される。フレームメモリ７５８は、動画像データを格納する。マルチプレクサユニット７５６は、デュアルポートバッファ７５２、７５４と、フレームメモリ７５８とに結合されている。マルチプレクサユニット７５６は、リード／ライトタイムシーケンスに基づき、選択にてデュアルポートバッファ７５２から出力されたフレームデータ７５１フレームメモリ７５８に送信し、またはフレームメモリ７５８から出力されたフレームデータ７５３をデュアルポートバッファ７５４に送信する。
【００３５】
データラッチ７６０はフレームデータ７５７を受け、フレームデータ７６１を出力する。フレームデータ７６１は、例えば、ＲＧＢカラーを有する５４Ｍｂｐｓのストリームデータであり、各色は５ビットを用いてデータを表す。すなわち、フレームデータ７５７のビット数はフレームデータ７６１のビット数のインテグラルである。
【００３６】
動画改善ユニット７７２は同時にフレームデータ７３１、７６１を受け、補償データ７７１をフレームデータ７３１と７６１との差に応じて発生する。この動画改善ユニット７７２は、ルックアップテーブルにより実行される。データ処理ユニット７７４は、対応するフレームデータ７１３を補償データ７７１に応じて補償し、フレームデータ７７３を得る。データ処理ユニット７７６は対応するフレームデータ７１１を補償データ７７１に応じて補償し、フレームデータ７７５を得る。データフロースイッチ７８０はフレームデータ７７５、７７３を受け、それらをそれぞれ一のフレームデータ７０４、７０３として導入する。フレームデータ７０３は補償された奇数フレームデータであり、一方、フレームデータ７０４は補償された偶数フレームデータである。フレームデータ７０４と７０３を組み合わせた後、組み合わされたフレームデータをイメージ駆動回路等の次レベルの回路に送ることができる。
【００３７】
本発明の第７の実施形態において、図７における非線形量子化回路７２０、７３０と動画改善ユニット７７２を用いず、フレームデータ７１３、７２１が同じ信号であり、フレームデータ７６１、７７１が同じ信号の場合でも、やはりこの回路は本発明の範囲に属するものである。本発明の第８の実施形態として、回路は第７の実施形態におけるデータラッチ７４０、７６０を省略するが、フレームデータ７１３、７４１が同じ信号であり、フレームデータ７５７、７６１が同じ信号であれば、やはりこの回路は本発明の範囲に属するものである。さらに、信号変換器７７０はまた、上記実施形態における他のユニットに置き換えてもよい。
【００３８】
図７を参照すれば、本発明の第９の実施形態は以下のように例示される。すなわち、この回路は、フレームメモリモジュール７５０のメモリ構造が他の構造に置き換わる点を除き、第６の実施形態に記載の回路と同様である。本発明の第９の実施形態においては、フレームメモリモジュール７５０は、現フレームデータを格納し、同時に前フレームデータを出力することができる構造とすることができる。本発明の第１０の実施形態においては、第９の実施形態におけるデータラッチ７４０、７６０を省略することができる。
【００３９】
第６、７、９、１０の実施形態において、データ処理ユニット７７６、７７４は同じ補償データ７７１を用いてフレームデータ７１１、７１３補償する。しかし、フレームデータ７１３はまた、フレームデータ７１１と７１３の差に応じて補償することができる。
【００４０】
上記記載は、本発明の好ましい実施の形態が全てかつ完全に記載されている。当業者によれば本発明の範囲を逸脱することなく種々の変形、互換構造、均等化がなされるであろう。したがって、上記記載および例示は、本発明の範囲を限定する意味に解釈してはならず、特許請求の範囲により定義されるものである。
【図面の簡単な説明】
【００４１】
【図１】従来のＬＣＤの画素を示す図である。
【図２】１画素の液晶キャパシタに印可された電圧│Ｖ│とフレーム時間との関係を示す図である。
【図３】グレーレベルと１画素へのフレーム時間との関係を示す図である。
【図４】ＬＣＤ上の応答遅延を改善するための従来方法を示す図である。
【図５】図４における従来方法を適用した後のグレーレベルと１画素に対するフレーム時間とを示す図である。
【図６】本発明の好ましい実施の形態による動画質を改善するための回路を示すブロック図である。
【図７】本発明の他の好ましい実施の形態による動画質を改善するための回路を示すブロック図である。
【符号の説明】
【００４２】
６０２  フレームデータ
６０４  フレームデータ
６１０  非線形量子化回路
６１１  フレームデータ
６２０  データラッチ
６２１  フレームデータ
６３０  フレームメモリモジュール
６３１  フレームデータ
６３２  デュアルポートバッファ
６３４  デュアルポートバッファ
６３５  フレームデータ
６３６  マルチプレクサユニット
６３７  フレームデータ
６３８  フレームメモリ
６４０  データラッチ
６４１  フレームデータ
６５０  信号変換器
６５１  補償データ
６５２  動画改善ユニット
６５４  データ処理ユニット
７０１  フレームデータ
７０２  フレームデータ
７１０  データフロースイッチ
７１１  フレームデータ
７１３  フレームデータ
７２０  非線形量子化回路
７２１  フレームデータ
７３０  非線形量子化回路
７３１  フレームデータ
７４０  データラッチ
７４１  フレームデータ
７５０  フレームメモリモジュール
７５１  フレームデータ
７５２  デュアルポートバッファ
７５３  フレームデータ
７５４  デュアルポートバッファ
７５５  フレームデータ
７５６  マルチプレクサユニット
７５７  レームデータ
７５８  フレームメモリ
７６０  データラッチ
７６１  フレームデータ
７７０  信号変換器
７７１  補償データ
７７２  動画改善ユニット
７７３  フレームデータ
７７４  データ処理ユニット
７７５  フレームデータ
７７６  データ処理ユニット
７８０  データフロースイッチ
【図１】
2005099659.tif 000003
【図２】
2005099659.tif 000004
【図３】
2005099659.tif 000005
【図４】
2005099659.tif 000006
【図５】
2005099659.tif 000007
【図６】
2005099659.tif 000008
【図７】
2005099659.tif 000009